(57)【特許請求の範囲】
【請求項１】
小径のパイプからなるワクチン接種針であって、
長手方向の一端の先端領域を軸心と傾斜するようにカットして形成された複数の傾斜面と、隣り合う上記傾斜面の間に形成されて、先端が尖った複数の刺し入れ部と、各刺し入れ部の内方およびそこから連続する長手方向後方の内部空間からなり、ワクチンを貯溜する貯溜部と、上記刺し入れ部よりも長手方向後方に形成された横穴とを備えることを特徴とするワクチン接種針。
【請求項２】
上記傾斜面は、円周方向において１８０°ずれた位置に２箇所形成されるとともに、上記刺し入れ部も円周方向において１８０°ずれた位置に２箇所形成されていることを特徴とする請求項１に記載のワクチン接種針。
【請求項３】
上記２箇所の刺し入れ部の一方の先端は、他方の先端よりも長手方向の前方に位置していることを特徴とする請求項２に記載のワクチン接種針。
【発明の詳細な説明】
【技術分野】
【０００１】
本発明はワクチン接種針に関し、より詳しくは、接種対象者にワクチンを接種する際に接種量のバラツキを抑制可能なワクチン接種針に関する。
【背景技術】
【０００２】
従来、予防接種に使用されるワクチン接種針として先端が二股状になったものが知られている（特許文献１および図８参照）。すなわち、図８ないし図９に示すように、従来のワクチン接種針は、先端領域が偏平に形成されるとともに該先端領域の中央部に直線状の切り欠き部（溝）が形成されることで二股状となっている。
この従来のワクチン接種針は、医療従事者が上記先端領域を容器内のワクチン内に挿入させることで、先ず上記直線状の切り欠き部内にワクチンを表面張力により付着させる。そして、その状態のワクチン接種針における両方の先端を接種対象者の皮膚に引っ掻くようにこすりつけることで、接種対象者にワクチンを接種するようになっていたものである（図９参照）。
【先行技術文献】
【特許文献】
【０００３】
【特許文献１】特開２００３−１９０１７６号公報
【発明の概要】
【発明が解決しようとする課題】
【０００４】
ところで、上述した従来のワクチン接種針は、上記切り欠き部（溝）に付着するワクチンの液量にばらつきが生じやすいという欠点があり、しかも接種対象者の痛みが大きいという欠点があった。
【課題を解決するための手段】
【０００５】
上述した事情に鑑み、本発明は、小径のパイプからなるワクチン接種針であって、長手方向の一端の先端領域を軸心と傾斜するようにカットして形成された複数の傾斜面と、隣り合う上記傾斜面の間に形成されて、先端が尖った複数の刺し入れ部と、各刺し入れ部の内方およびそこから連続する長手方向後方の内部空間からなり、ワクチンを貯溜する貯溜部と、上記刺し入れ部よりも長手方向後方に形成された横穴とを備えるワクチン接種針を提供するものである。
【発明の効果】
【０００６】
上述した構成によれば、貯溜部に貯溜するワクチンの液量のばらつきを抑制することができる。また、接種対象者の皮膚にワクチンを接種する際には、刺し入れ部を皮膚に軽く刺し込めばよいので、上記従来のものと比較して接種対象者の痛みを軽減させることができる。
【図面の簡単な説明】
【０００７】
【図１】本発明の一実施例を示す正面図。
【図２】図１の平面図。
【図３】図１の底面図。
【図４】図１の要部の拡大図。
【図５】図１のワクチン接種針により接種対象者にワクチンを接種する際の状態を示す図。
【図６】図１に示した本実施例のワクチン接種針に関する実験条件を示す図。
【図７】本実施例のワクチン接種針等に対して図６の実験条件で行った実験結果を示す図。
【図８】従来のワクチン接種針の要部を示す正面図。
【図９】図８の従来のワクチン接種針によって接種対象者にワクチンを接種する状態を示す斜視図。
【発明を実施するための形態】
【０００８】
以下、図示実施例について本発明を説明すると、図１ないし図４おいて、１は接種対象者にワクチン２を接種するためのワクチン接種針である。このワクチン接種針１は、図８ないし図９に示した従来公知のワクチン接種針とは異なり、ステンレス製の小径パイプから構成されている。
このワクチン接種針１における長手方向の一端の先端領域１Aは、その左右両側が軸心Cに対して所定角度傾斜させて平面状にカットされている。そのため、ワクチン接種針１の先端領域１Aには、左右一対の左傾斜面１ａと右傾斜面１ｂが形成されるとともに、それらの円周方向隣接位置に一対の第１刺し入れ部１ｃと第２刺し入れ部１ｄが形成されている。
【０００９】
第１刺し入れ部１ｃと第２刺し入れ部１ｄは円周方向において相互に１８０°ずれた位置に位置しており、上記左傾斜面１ａと右傾斜面１ｂも円周方向において１８０°ずれた位置に位置している。第１刺し入れ部１ｃの先端１ｃ’は、第２刺し入れ部１ｄの先端１ｄ’よりも僅かに長手方向の前方に位置しており、第１刺し入れ部１ｃの先端１ｃ’がワクチン接種針１の最先端となっている。
本実施例においては、上記両傾斜面１ａ、１ｂを形成するに当たって先端領域１Ａを左右両側から平面状にカットする際に、左右の切断面が隔てた間隔を第１刺し入れ部１ｃ側が拡開するようにしている。そのため、図２ないし図３から理解できるように、第１刺し入れ部１ｃの平面上での角度θ１の方が第２刺し入れ部１ｄの角度θ２よりも鋭角となっており、また、前述のように、第１刺し入れ部１ｃの先端１ｃ’の方が第２刺し入れ部１ｄの先端１ｄ’よりも前方に位置している。
【００１０】
先端領域１Ａである両刺し入れ部１ｃ、１ｄの内面（内周部分）およびそこから連続する長手方向後方側の内周部内がワクチン２を一時貯溜するための貯溜部１Ｂとなっている。この貯溜部１Ｂにワクチン２を貯溜した状態において、医療従事者がワクチン接種針１の他端を?んで接種対象者の皮膚３に両刺し入れ部１ｃ、１ｄを直交方向から軽く刺し入れるようになっている（図５参照）。それにより、両刺し入れ部１ｃ、１ｄの先端１ｃ’、１ｄ’が接種対象者の皮膚３内に刺し入れられるので、貯溜部１Ｂ内のワクチン２が両刺し入れ部１ｃ、１ｄの内面を介して接種対象者の皮膚３内に接種されるようになっている（図５参照）。
【００１１】
さらに、本実施例のワクチン接種針１には、第１刺し入れ部１ｃから所定寸法だけ長手方向の後方側であって、かつ第１刺し入れ部１ｃの先端１ｃ’と同一軸線上となる位置に、横穴１Ｄが穿設されている。この横穴１Ｄは、長手方向に沿った楕円形に形成されており、この横穴１Ｄの先端領域１Ａ側の縁部１Ｄ’よりも先端領域１Ａ側となる内部空間が貯溜部１Ｂとなっている。そして、本実施例においては、上記横穴１Ｄを設ける位置は、接種対象者に接種すべきワクチン２の量と上記貯溜部１Ｂ内に貯溜されるワクチン２の量が同一となる位置に設けられている。
後述する実験結果で示すように、両傾斜面１ａ、１ｂの後方端の位置から横穴１Ｄの縁部１Ｄ’までの距離Ｌ２（又は第１刺し入れ部１ｃの先端１ｃ’から横穴１Ｄまでの距離Ｌ１）の違いに応じて貯溜部１Ｂに貯溜可能なワクチン２の量を変更することができる。そこで、本実施例においては、接種対象者に接種すべきワクチン２の量と貯溜部１Ｂ内に貯溜されるワクチン２の量が一致するように上記距離Ｌ２（またはＬ１）を設定するようにしている。
【００１２】
本実施例におけるワクチン接種針１の各部の具体的な寸法は次のように設定されている。即ち、ワクチン接種針１の全長Ｌ（軸方向寸法）、つまり、第１刺し入れ部１ｃの先端１ｃ’から長手方向の他端までの長さは６５ｍｍに設定されている。また、ワクチン接種針１を構成するパイプの内径は０．５ｍｍであり、外径は０．８ｍｍに設定されている。横穴１Ｄの寸法（長手方向の径）は、０．５４４ｍｍに設定されており、両傾斜面１ａ、１ｂにおける長手方向の後端から横穴１Ｄまでの距離Ｌ２は５ｍｍに設定されている。
さらに、両傾斜面１ａ、１ｂの長手方向の寸法は、２．１１２ｍｍに設定されており、第１刺し入れ部１ｃの角度θ１は約２４°となっており、また第２刺し入れ部１ｄの角度θ２は、約２４°となっている。また、第２刺し入れ部１ｄの先端１ｄ’が第１刺し入れ部１ｃの先端１ｃ’から軸方向後方へ後退した量は、約０．４７７ｍｍとなっている。
【００１３】
本実施例のワクチン接種針１は、製造する際に先端領域１Ａから横穴１Ｄを設ける長手方向の距離Ｌ１（Ｌ２）を変更することで、貯溜部１Ｂに一時貯溜されるワクチン２の量を変更することができる。そして、この横穴１Ｄの配置位置の違いに応じて貯溜部１Ｂ内に貯溜されるワクチン２の量がどのように変化するかについての実験結果を示したものが図７である。
図６は実験条件を示した図面である。この実験においては、先ず上述した各部の寸法設定であって、かつ横穴１Ｄまでの距離Ｌ２を異ならせた複数のワクチン接種針１（試作品）を製作し、それらの先端領域１Ａと横穴１Ｄを含めた後続部分を容器内の水に液面下２０ｍｍまで挿入してから引き抜いて、貯溜部１Ｂに貯溜された水の量を計測した。この実験では、各試作品（ワクチン接種針１）の先端領域１Ａとその後続部分が水に挿入されることで、貯溜部１Ｂ内と横穴１Ｄおよびそこよりも上方の内部空間まで水が貯溜され、その後、ワクチン接種針１が水中から引き抜かれると、上記横穴１Ｄから大気がワクチン接種針１内に侵入する。それにより、横穴１Ｄの縁部１Ｄ’よりも内部上方まで入っていた水が貯溜部１Ｂの下端から流下し、それに伴って内部空間内の水の液面は下降して横穴１Ｄの縁部１Ｄ’の位置で停止する。つまり、縁部１Ｄ’の位置とそこよりも下方となる貯溜部１Ｂ内に水が貯溜され、該貯溜部１Ｂ内の水の量を重さとして計測した結果が図７である。なお、本実施例の試作品１〜５は、横穴１Ｄまでの寸法Ｌ２を順次１ｍｍずつ異ならせている。
また、比較品としての従来品としては、図８に示した先端が二股状となった中実のワクチン接種針であって、先端領域の肉厚が０．３９ｍｍ、切り欠き部（溝）の幅０．５３７ｍｍ、切り欠き部（溝）の長さ３．０６ｍｍのものである。
また、比較品の第２のものは、上記実施例として開示した各部の寸法を備えて横穴１Ｄ無しのものである。また、比較品第３のものは上記実施例として開示した各部の寸法を備えて横穴１Ｄまでの距離Ｌ２が２０ｍｍのものである。
【００１４】
図７に示した実験結果から言えることは、両傾斜面１ａ、１ｂの後方端から横穴１Ｄまでの距離Ｌ２（又は第１刺し入れ部１ｃの先端１ｃ’から横穴１Ｄまでの距離Ｌ１）を変更することで、貯溜部１に貯溜されるワクチン２の保持量を変更できるということである。そして、距離Ｌ２が大きくなるほど、つまり横穴１Ｄの設置位置が長手方向の後方に位置するほど貯溜部１Ｂに保持されるワクチン２の量が増加するということである。
なお、比較品としての二股状の従来品においては、本実施例の試作品と比較するとワクチンの保持量が少なくなっている。また、第２の比較品である横穴無しの場合には、本実施例の試作品と比較して保持量が多くなっている。さらに、第３の比較品の場合には、試作品５と同等の保持量となっている。
【００１５】
以上のように、本実施例のワクチン接種針１は小径のパイプからなり、かつ先端領域１Ａに第１刺し入れ部１ｃと第２刺し入れ部１ｄが形成されている。そして、貯溜部１Ｂにワクチン２を貯溜した状態で両刺し入れ部１ｃ、１ｄの先端１ｃ’、１ｄ’を接種対象者の皮膚３に直交方向から軽く差し込むことで、ワクチン２を接種対象者に接種することができる。そのため、ワクチン２を接種する際に接種対象者の痛みを従来よりも軽減することができる。
また、本実施例のワクチン接種針１は、先端領域１Ａよりも後方側に横穴１Ｄが形成されており、この横穴１Ｄを、接種対象者に接種すべきワクチン２の量と貯溜部１Ｂの貯溜されるワクチン２の量が同一となる位置に設けている。そのため、ワクチン接種針１によって各接種対象者にワクチン２を接種する際の接種量を同一にすることができる。したがって、従来と比較して各接種対象者にワクチン２を接種する際の接種量のバラツキを抑制することができる。
【００１６】
なお、上述した実施例においては、第１刺し入れ部１ｃの先端１ｃ’は第２刺し入れ部１ｄの先端１ｄ’よりも長手方向の前方に位置していたが、両先端１ｃ’、１ｄ’が長手方向において同じ位置となるように両刺し入れ部１ｃ、１ｄを形成しても良い。
また、上述した実施例は、ワクチン接種針１の一端を軸心Ｃと傾斜するように２つの傾斜面に沿ってカットすることにより２箇所の傾斜面（１ａ、１ｂ）を形成しているが、傾斜面は３箇所であってもよい。つまり、一端を軸心Ｃと傾斜するように円周方向の３箇所で平面状に削除することにより、３箇所の傾斜面を形成するとともに先端が尖った３箇所の刺し入れ部を形成するようにしてもよい。
【符号の説明】
【００１７】
１‥ワクチン接種針                      １Ａ‥先端領域
１Ｂ‥貯溜部                            １ａ‥左傾斜面
１ｂ‥右傾斜面                          １ｃ‥刺し入れ部
１ｃ’‥先端                            １ｄ‥第２刺し入れ部
１ｄ’‥先端                            ２‥ワクチン
３‥皮膚
【図１】
0005767568.tif 000002
【図２】
0005767568.tif 000003
【図３】
0005767568.tif 000004
【図４】
0005767568.tif 000005
【図５】
0005767568.tif 000006
【図６】
0005767568.tif 000007
【図７】
0005767568.tif 000008
【図８】
0005767568.tif 000009
【図９】
0005767568.tif 000010